(57)【要約】【課題】テクスチャ層と画像とを連続的に形成するインクジェット式記録装置１００。【解決手段】テクスチャ層を形成する紫外線硬化型インクを吐出するテクスチャ層形成用ノズル列、および、画像を形成する紫外線硬化型インクを吐出する作画用ノズル列を搭載して、往復移動しつつ紫外線硬化型インクを吐出する記録ヘッド２３２と、記録ヘッド２３２に追従して紫外線を照射する紫外線照射部２３４、２３６と、テクスチャ層形成用ノズル列の内で連続する複数のノズルを含むテクスチャ層形成用ノズル群と、搬送方向についてテクスチャ層形成用ノズル群に対して異なる位置において作画用ノズル列の内で連続する作画用ノズル群とに、紫外線硬化型インクを吐出させる制御部とを備える。【選択図】図４
2009096060.tif 000002
【特許請求の範囲】
【請求項１】
被記録媒体の表面に画像を形成する紫外線硬化型インクを各々が吐出する前記被記録媒体の搬送方向に配列された複数のノズルを含む作画用ノズル列、および、
前記画像に重なるテクスチャ層を形成する紫外線硬化型インクを各々が吐出する前記搬送方向に配列された複数のノズルを含むテクスチャ層形成用ノズル列
を有し、
前記作画用ノズル列および前記テクスチャ層形成用ノズル列は、前記搬送方向と交差する走査方向に隣接して配列されており、
前記走査方向に往復移動しつつ前記被記録媒体に向かって紫外線硬化型インクを吐出する記録ヘッドと、
前記記録ヘッドに追従して、前記記録ヘッドから吐出されて前記被記録媒体に付着した紫外線硬化型インクに向かって紫外線を照射する紫外線照射ヘッドと、
前記被記録媒体への記録時に、前記記録ヘッドの前記搬送方向について前記テクスチャ層形成用ノズル列の内で一部の連続する複数のノズルを含むテクスチャ層形成用ノズル群と、前記搬送方向について前記テクスチャ層形成用ノズル群に対して異なる位置において前記作画用ノズル列の内で一部の連続する作画用ノズル群とに、前記紫外線硬化型インクを吐出させる制御部と
を備える記録装置。
【請求項２】
前記記録ヘッドは、互いに同じノズルピッチを有するノズル列を含み、前記搬送方向について異なる位置に配置された複数の記録ヘッドを含み、
前記複数の記録ヘッドにおいて、前記搬送方向について、上流側の記録ヘッドにおける下流端のノズルと下流側の記録ヘッドの上流端ノズルとの前記搬送方向に係る間隔が、前記ノズル列におけるノズルピッチと等しい請求項１に記載の記録装置。
【請求項３】
前記テクスチャ層形成用ノズル列は、前記作画用ノズル列に対して、前記搬送方向について上流側に位置する請求項１に記載の記録装置。
【請求項４】
被噴射媒体の表面にパターンを形成する紫外線硬化性樹脂を含む液体を各々が噴射する、前記被噴射媒体の搬送方向に整列する複数のノズルを含むパターン形成用ノズル列、および、前記パターンに重なるテクスチャ層を形成する紫外線硬化性樹脂を含む液体を各々が噴射する、前記搬送方向に整列する複数のノズルを含むテクスチャ層形成用ノズル列を含み、
前記テクスチャ層形成用ノズル列と前記作画用ノズルは、前記搬送方向と交差する走査方向に隣接して配列されており、
前記走査方向に往復移動しつつ前記被噴射媒体に向かって前記液体を噴射する液体噴射ヘッドと、
前記液体噴射ヘッドに追従して、前記液体噴射ヘッドから噴射されて前記被噴射媒体に付着した前記液体に向かって紫外線を照射する紫外線照射ヘッドと、
前記被噴射媒体への噴射時に、前記液体噴射ヘッドの前記搬送方向について前記テクスチャ層形成用ノズル列の内で一部の連続する複数のノズルを含むテクスチャ層形成用ノズル群と、前記搬送方向について前記テクスチャ層形成用ノズル群に対して異なる位置において前記成形用ノズル列の内で一部の連続する成形用ノズル群とに、前記液体を噴射させる制御部と
を備える液体噴射装置。
【発明の詳細な説明】
【技術分野】
【０００１】
本発明は、記録装置および液体噴射装置に関する。より詳細には、紫外線硬化型インクを用いて画像を形成する記録装置と、紫外線硬化性樹脂を含む液体を用いてパターンを形成する液体噴射装置に関する。
【背景技術】
【０００２】
紫外線硬化型インクを用いて被記録媒体に画像を形成する記録装置または液体噴射装置がある。紫外線硬化型インクは、紫外線を照射するまでは硬化が非常に遅く、紫外線を照射すると急速に硬化するという、印刷インクとして好ましい特性を有する。また、硬化の過程で溶剤を揮発、放散させることがないので環境負荷が小さいという利点もある。
【０００３】
更に、紫外線硬化型インクは、適切なビヒクルの組成により被記録媒体に対して高い付着性を発揮するので、樹脂フィルム、金属箔等を被記録媒体とすることができる。また、隠蔽性の高いインクを用いて背景層または下地層を形成することにより、透明あるいは濃色の被記録媒体に対しても鮮明な画像を形成できる。また更に、カラーインクにより画像を形成した後に、背景色または透明インクにより表面を被覆することにより表面性状を平滑にし、且つ、画像を保護することもできる。なお、紫外線硬化型インクを被記録媒体に付着させる方法としては、塗布、印刷等もあるが、刷版なしに任意の画像またはパターンを精度よく形成できるインクジェット方式の利用が期待されている。
【０００４】
下記の特許文献１には、画像を形成するプロセスカラーインクを噴射するインクジェットヘッドの他に、下塗り層プリント用のインクジェットヘッドを備えたインクジェットプリンタが記載されている。これにより、下塗り層と、画像の形成とを連続的に実行できる。
【特許文献１】特開２００５−００７５７７号公報
【発明の開示】
【発明が解決しようとする課題】
【０００５】
しかしながら、上記の特許文献１に記載されたインクジェットプリンタは、画像形成用インクジェットヘッドおよび下塗り層プリント用インクジェットヘッドのそれぞれに、独立した案内部材、駆動機構等を個別に供えている。また、インクに紫外線を照射する紫外線照射部も個別に供える。このため、装置規模が実質的に２倍になり、装置の大型化が著しかった。
【課題を解決するための手段】
【０００６】
上記課題を解決すべく、本発明の第１形態として、記録媒体の表面に画像を形成する紫外線硬化型インクを各々が吐出する被記録媒体の搬送方向に配列された複数のノズルを含む作画用ノズル列、および、画像に重なるテクスチャ層を形成する紫外線硬化型インクを各々が吐出する搬送方向に配列された複数のノズルを含むテクスチャ層形成用ノズル列を有し、作画用ノズル列およびテクスチャ層形成用ノズル列は、搬送方向と交差する走査方向に隣接して配列されており、走査方向に往復移動しつつ被記録媒体に向かって紫外線硬化型インクを吐出する記録ヘッドと、記録ヘッドに追従して、記録ヘッドから吐出されて被記録媒体に付着した紫外線硬化型インクに向かって紫外線を照射する紫外線照射ヘッドと、被記録媒体への記録時に、記録ヘッドの搬送方向についてテクスチャ層形成用ノズル列の内で一部の連続する複数のノズルを含むテクスチャ層形成用ノズル群と、搬送方向についてテクスチャ層形成用ノズル群に対して異なる位置において作画用ノズル列の内で一部の連続する作画用ノズル群とに、紫外線硬化型インクを吐出させる制御部とを備える記録装置が提供される。これにより、単一の記録ヘッドによりテクスチャ層および画像を重ねて形成できるので、記録装置の大型化が抑制される。
【０００７】
また、上記記録装置において、記録ヘッドは、互いに同じノズルピッチを有するノズル列を含み、搬送方向について異なる位置に配置された複数の記録ヘッドを含み、複数の記録ヘッドにおいて、搬送方向について、上流側の記録ヘッドにおける下流端のノズルと下流側の記録ヘッドの上流端ノズルとの搬送方向に係る間隔が、ノズル列におけるノズルピッチと等しくてもよい。これにより、製造歩留りのよいノズルプレートを複数用いて、見かけ上は単一の大型記録ヘッドを形成できる。また、その記録ヘッドを用いて、テクスチャ層および画像を形成できる。
【０００８】
更に、上記記録装置において、テクスチャ層形成用ノズル列は、作画用ノズル列に対して、搬送方向について上流側に位置してもよい。これにより、画像を成形する作画インクの吐出に先立って、画像の下地となるテクスチャ層を、作画インクと共通の記録ヘッドにより形勢できる。
【０００９】
また、本発明の第２の形態として、被噴射媒体の表面にパターンを形成する紫外線硬化性樹脂を含む液体を各々が噴射する、被噴射媒体の搬送方向に整列する複数のノズルを含むパターン形成用ノズル列、および、パターンに重なるテクスチャ層を形成する紫外線硬化性樹脂を含む液体を各々が噴射する、搬送方向に整列する複数のノズルを含むテクスチャ層形成用ノズル列を含み、走査方向に往復移動しつつ被噴射媒体に向かって液体を噴射する液体噴射ヘッドと、液体噴射ヘッドに追従して走査方向に往復移動して、液体噴射ヘッドから噴射されて被噴射媒体に付着した液体に向かって紫外線を照射する紫外線照射ヘッドと、テクスチャ層形成用ノズル列の内で連続する複数のノズルを含むテクスチャ層形成用ノズル群と、搬送方向についてテクスチャ層形成用ノズル群に対して異なる位置において成形用ノズル列の内で連続する成形用ノズル群とに、液体を噴射させる制御部とを備える液体噴射装置が提供される。これにより、液体噴射装置においても上記の効果を享受できる。
【００１０】
なお、上記の発明の概要は、本発明の必要な特徴の全てを列挙したものではない。また、これらの特徴群のサブコンビネーションも発明となり得る。
【発明を実施するための最良の形態】
【００１１】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【実施例１】
【００１２】
図１は、一実施形態に係るインクジェット式記録装置１００の外観を示す斜視図である。なお、このインクジェット式記録装置１００は、例えばＪＩＳ規格のＡ０判、ＪＩＳ規格のＢ０判といった大判の単票、同単票と同じ用紙幅を有するロール紙にインクを吐出することより記録をする。被記録媒体としては、紙の他に、樹脂フィルム等を用いることもできる。
【００１３】
同図に示すように、インクジェット式記録装置１００は、互いに積層された上部筐体１１２および下部筐体１１４と、下部筐体１１４の下に吊り下げられた小型筐体１１６とを含む筐体１１０を有する。筐体１１０は、下方から脚部１２０により持ち上げられて支持される。これにより、筐体１１０の下方に、記録済みの記録用紙１５０を排出するスペースが形成される。
【００１４】
また、上部筐体１１２には、このインクジェット式記録装置１００をスタンドアロンで操作する場合に使用する操作パネル１３０が設けられる。操作パネル１３０には、インクジェット式記録装置１００の動作状態を示す表示パネル、表示ランプ等が設けられる場合もある。一方、下部筐体１１４には、インクを収容したインクカートリッジ２４０を装填するカートリッジホルダ１４０が設けられる。
【００１５】
インクジェット式記録装置１００において、画像を記録された記録用紙１５０は、上部筐体１１２および下部筐体１１４の間から前方に送り出される。送り出された記録用紙１５０は、自重により下方に垂れ下がる。このため、上部筐体１１２および下部筐体１１４の間隙に見える吸引プラテン２５０の前端には、記録用紙１５０を円滑に案内する滑らかな案内面２５２が形成される。
【００１６】
図２は、インクジェット式記録装置１００を背面から見た様子を示す斜視図である。同図に示すように、インクジェット式記録装置１００の背面において、下部筐体１１４の後部には、水平に掛け渡されたスピンドル１６０と、スピンドル１６０を挿通されて水平に支持されたロール１５２とが装着される。ロール１５２は、長尺の記録用紙１５０を巻き重ねて形成される。図１に示した記録用紙１５０は、ロール１５２から引き出されて、筐体１１０の内部を通過した後に前面に引き出された記録用紙１５０の前端に相当する。
【００１７】
図３は、インクジェット式記録装置１００の内部機構２００を模式的に示す斜視図である。同図に示すように、内部機構２００は、ガイド軸２７０、記録ヘッド組立体２３０および吸引プラテン２５０を含む。また、内部機構２００は、インクジェット式記録装置１００の各部の動作を制御する制御部２３８を含む。
【００１８】
ガイド軸２７０は、インクジェット式記録装置１００の長手方向に水平に延在する。記録ヘッド組立体２３０はガイド軸２７０に支持され、ガイド軸２７０に沿って往復移動方向Ｍに往復移動する。
【００１９】
記録ヘッド組立体２３０は、記録ヘッド２３２と、往復移動方向Ｍに沿って記録ヘッド２３２を挟む一対の紫外線照射部２３４、２３６とを含む。これら記録ヘッド２３２および紫外線照射部２３４、２３６は、ガイド軸２７０に支持されたキャリッジ２３１に搭載されて、ガイド軸２７０に沿って一体的に往復移動する。
【００２０】
また、ガイド軸２７０の後方には、一対のプーリ２６０に掛けわたされたタイミングベルト２２０が配置される。プーリ２６０の一方は、キャリッジモータ２２２により回転駆動される。これにより、プーリ２６０の間で、タイミングベルト２２０はガイド軸２７０に対して平行に走行する。
【００２１】
タイミングベルト２２０の一部は、記録ヘッド組立体２３０に結合される。これにより、キャリッジモータ２２２に供給する駆動信号に応じて記録ヘッド組立体２３０を移動させることができる。
【００２２】
更に、ガイド軸２７０の長手方向に沿って、リニアスケール２１４が配される。リニアスケール２１４は、透明な本体と、往復移動方向Ｍついて一定の周期で形成された遮光帯とを有する。一方、記録ヘッド組立体２３０は、遮光帯を検出して計数する検知部を備える。これにより、記録ヘッド組立体２３０の移動量を正確に検知できる。なお、これらガイド軸２７０、記録ヘッド組立体２３０、タイミングベルト２２０およびリニアスケール２１４は、インクジェット式記録装置１００の上部筐体１１２に収容されている。
【００２３】
記録ヘッド組立体２３０の移動範囲の下方には、往復移動方向Ｍに交差する記録用紙１５０の搬送方向Ｓに沿って、搬送駆動ローラ２１２を含む搬送部と吸引プラテン２５０とがこの順で配置される。これら搬送駆動ローラ２１２および吸引プラテン２５０は、下部筐体１１４に収容されている。
【００２４】
搬送駆動ローラ２１２は搬送モータにより回転駆動され、図示を省略した搬送従動ローラにより記録用紙１５０を押し付けられつつ回転する。これにより、記録用紙１５０をロール１５２から引き出して、吸引プラテン２５０上に送り出す。
【００２５】
吸引プラテン２５０は、搬送部から送り込まれた記録用紙１５０を、平坦な表面において下方から支持する。また、吸引プラテン２５０は、吸引ファン等の減圧源に連通した多数の吸引孔を表面に有して、支持した記録用紙１５０を吸着する。これにより、吸引プラテン２５０は、巻き癖等のついた記録用紙１５０を、記録ヘッド２３２の下方で平坦に保持する。
【００２６】
一方、記録ヘッド組立体２３０の移動方向について吸引プラテン２５０の外側には、フラッシング部２９０およびキャップ２８０が順次配置される。フラッシング部２９０は、記録ヘッド２３２から大量のインクを吐出させるフラッシングが実行された場合に、吐出されたインクを吸収する。このようなフラッシングにより、増粘したインクを記録ヘッド２３２から除去することができる。
【００２７】
また、キャップ２８０は、インクジェット式記録装置１００が休止している期間に、記録ヘッド２３２の下面を気密に封止する。これにより、休止中の記録ヘッド２３２においてインクが増粘または固化することが防止される。
【００２８】
上記のような構造を有するインクジェット式記録装置１００は、制御部２３８の制御の下に、下記のような記録動作を実行する。まず、搬送駆動ローラ２１２が吸引プラテン２５０上に記録用紙１５０を送り込み、吸引プラテン２５０は搬送された記録用紙１５０を平坦に保持する。記録ヘッド２３２は、吸引プラテン２５０上に支持された記録用紙１５０上を往復移動方向Ｍに移動しながら、記録用紙１５０の表面に向けてインクを吐出する。以下、搬送部２１０が記録用紙１５０を搬送方向Ｓに搬送する動作と、記録ヘッド２３２が記録用紙１５０上を往復移動方向Ｍに往復移動する動作とを交互に繰り返して、記録用紙１５０表面の任意の領域にインクを付着させて画像を形成する。
【００２９】
図４は、上記インクジェット式記録装置１００の記録ヘッド組立体２３０の下面のレイアウトを示す図である。同図に示すように、記録ヘッド組立体２３０下面を見上げた場合、一対のノズルプレート３１０、３２０を含む記録ヘッド２３２が中央に配置され、記録ヘッド２３２を挟んで一対の紫外線照射部２３４、２３６が配置される。紫外線照射部２３４、２３６は、それぞれ、放電管２３３、２３５を含む。
【００３０】
なお、記録ヘッド２３２および紫外線照射部２３４、２３６はいずれもキャリッジ２３１に搭載され、図中に矢印Ｍで示す移動方向に一体的に移動する。また、記録ヘッド組立体２３０に対して、記録用紙１５０は図中に矢印で示す搬送方向Ｓに移動する。
【００３１】
記録ヘッド２３２において、ノズルプレート３１０、３２０は、往復移動方向Ｍについても、搬送方向Ｓについても、互いにオフセットして配置される。また、ノズルプレート３１０、３２０は、互いに同じノズルピッチでノズル３１２、３２２を形成されている。
【００３２】
また、搬送方向Ｓについて、ノズルプレート３１０において図中で下端に位置するノズル３１２と、ノズルプレート３２０において図中で上端に位置するノズル３２２との間隔Ｐ０は、ノズルプレート３１０、３２０におけるノズルピッチＰ１、Ｐ２に等しい。これにより、搬送方向Ｓについて見た場合、２つのノズルプレート３１０、３２０にまたがって、ノズル３１２、３２２は一定のピッチで配列される。
【００３３】
一方、紫外線照射部２３４、２３６は、長手方向が搬送方向Ｓに平行になるように装着された放電管２３３、２３５を、記録ヘッド２３２の近傍に供える。放電管２３３、２３５は、搬送方向Ｓについて２つのノズルプレート３１０、３２０を合わせた長さよりも長い全長を有して、いずれのノズル３１２、３２２から吐出された紫外線硬化型インクに対しても等しく紫外線を照射できる。
【００３４】
これにより、記録ヘッド組立体２３０が、往復移動方向Ｍの一方に移動する場合、記録ヘッド２３２から吐出されて記録用紙１５０に付着した紫外線硬化型インクに対して、記録ヘッド２３２を追いかける側の紫外線照射部２３６から紫外線が照射される。紫外線照射部２３４、２３６は記録ヘッド２３２の両側に配されるので、記録ヘッド組立体２３０がいずれの方向に移動する場合でも、記録用紙１５０に付着した直後の紫外線硬化型インクに対して紫外線が照射される。
【００３５】
なお、この記録ヘッド組立体２３０は、ノズルプレート３１０、３２０に含まれる全てのノズル３１２、３２２から吐出された紫外線硬化型インクを、単一の放電管２３３、２３５から放射された紫外線により硬化させる。このような用途に鑑みて、放電管２３３、２３５は、記録ヘッド２３２から吐出されるすべての種類の紫外線硬化型インクの硬化に有効な発光波長帯域を有する。
【００３６】
図５は、記録ヘッド２３２におけるノズル３１２、３２２が吐出する紫外線硬化型インクの種類に対する配分を示す図である。なお、各ノズルプレート３１０、３２０において、搬送方向Ｓに配列された一連のノズル３１２、３２２はノズル列を形成して、同じ種類（色）の紫外線硬化型インクを吐出するものとする。ただし、各ノズル列において、個々のノズル３１２、３２２が紫外線硬化型インクを吐出するか否かは個別に制御できる。
【００３７】
同図に示すように、この動作形態においては、ノズルプレート３１０の図中左側に、画像の背景となる白色インクを吐出するノズル列が配置される。ノズルプレート３１０の他のノズル３１２は休止する。一方、ノズルプレート３２０においては、図中で左側に配置された白色インクを吐出するノズル列は休止して、画像を形成するシアン、マゼンタおよびイエローの吐出するノズル列が紫外線硬化型インクを吐出する。
【００３８】
このような配分の下にインクジェット式記録装置１００を動作させた場合、搬送方向Ｓに搬送される記録用紙１５０に対して先行するノズルプレート３１０において、記録用紙１５０に白色の背景となるテクスチャ層が形成される。このテクスチャ層は全体に均一なので、ノズルプレート３１０において白色インクを割り当てられた全てのノズル列が、白色の紫外線硬化型インクを吐出し続ける。記録用紙１５０に付着した紫外線硬化型インクは、記録ヘッド２３２に追従する紫外線照射部２３４、２３６の一方により紫外線を照射されて硬化する。これにより、記録用紙１５０の表面には、硬化した白色インクにより、背景となるテクスチャ層が形成される。
【００３９】
なお、テクスチャ層は、白色の下地に限られるものではなく、他の単色、グラディエーション、模様等が形成される場合もある。また、画像の下地または表面の性状、質感を整える目的で、透明なインクによるテクスチャ層が形成される場合もある。
【００４０】
続いて、記録用紙１５０は、搬送方向Ｓに搬送されて、ノズルプレート３１０におけるノズル列の長さだけ移動する。これにより、記録用紙１５０の表面においてテクスチャ層を形成された領域は、ノズルプレート３２０の直下に位置する。そこで、既に硬化しているテクスチャ層の上に、ノズルプレート３２０から吐出されたインクにより任意の画像が重ねて形成される。なお、ノズルプレート３１０、３２０におけるノズルピッチよりも小さい移動量で、搬送方向Ｓに記録用紙１５０を移動させることにより、記録画像の搬送方向Ｓに沿った実効的な解像度を向上させることもできる。
【００４１】
また、この実施形態においては、ノズルプレート３２０には、互いに異なる色のインクを吐出するノズル列を形成するノズル３２２が配置される。より具体的には、プロセスカラーを形成するシアン、マゼンタおよびイエローを吐出するノズル列が形成されている。しかしながら、更に、黒色インクを吐出するノズル列を加える場合、あるいは、シアン、マゼンタおよびイエローに対して彩度の異なるインクを吐出するノズル列を加える場合もある。また、背景となるテクスチャ層の形成も白色インクに限られるものではなく、他の色を用いる場合の他、金属色、半透明色等の色相以外の効果を有するインクが用いられる場合もある。更に、下地としてのグラディエーション、模様等が形成される場合もある。
【００４２】
この形態では、ノズルプレート３１０、３２０の各々において、使用されていないノズル３１２、３２２が存在する。これらのノズル３１２、３２２の使用方法について、次に説明する。
【００４３】
図６は、背景となるテクスチャ層を形成しない場合の記録ヘッド２３２の動作状態を示す図である。同図に示すように、この場合は、図中で左端に配された白色インクを吐出するノズル列は全て休止する。これに対して、ノズルプレート３１０に含まれる他のノズル３１２には、図５におけるノズルプレート３２０と同様に、シアン、マゼンタおよびイエローのインクが割り当てられる。ノズルプレート３２０における吐出インクの割り当ては、図５に示した場合と変わらない。
【００４４】
上記のように吐出インクを割り当てられた記録ヘッド２３２においては、既に説明した通り、ノズルプレート３１０からノズルプレート３２０までノズルピッチが一定している。従って、図６に示した割り当てでは、記録ヘッド２３２を、搬送方向Ｓについて多数のノズル３１２、３２２を含む長いノズル列を有すると看做すことができる。これにより、画像の形成速度を向上させることができる。
【００４５】
図７は、背景となるテクスチャ層を形成する他の形態における記録ヘッド２３２の他の動作状態を示す図である。同図に示すように、ノズルプレート３１０は、図６に示した場合と同様に、図中で左端の白色インクを吐出するノズル３１２が休止される。また、シアン、マゼンタおよびイエローを吐出する複数のノズル列が、ノズルプレート３１０に形成される。一方、ノズルプレート３２０においては、図中の左端で白色インクを吐出するノズル列が有効になり、他のノズル３２２は休止する。
【００４６】
上記のような割り当てにより、記録用紙１５０には、まず、先行するノズルプレート３１０から吐出されたシアン、マゼンタおよびイエローのインクにより画像が形成される。その後に、後続のノズルプレート３２０から、白色インクによるテクスチャ層が背景として形成される。このようにして形成された画像は、透明な記録用紙１５０を透して見られる。
【００４７】
図８は、図６に示す記録ヘッド組立体２３０の他の態様を説明する図である。同図に示すように、この記録ヘッド組立体２３０は、単一のノズルプレート３３０を供えた記録ヘッド２３２を有する。その他の点では、図４に示した記録ヘッド組立体２３０と共通の構造を有するので、同じ構成要素には同じ参照番号を付して重複する説明を省く。
【００４８】
記録ヘッド２３２に装着されたノズルプレート３３０は、搬送方向Ｓに配列された複数のノズル３３２により形成されるノズル列を更に複数供える。各ノズル列を形成するノズル３３２は、列毎に同じ種類の紫外線硬化型インクを吐出するが、制御部２３８の制御により、吐出または不吐出は個別に制御される。
【００４９】
図９は、図８に示した記録ヘッド組立体２３０に含まれる記録ヘッド２３２におけるノズル３３２の、吐出インクの種類に対する配分を示す図である。同図に示すように、ノズルプレート３３０では、図中の左側に配置されたノズル列に対して、背景となる白色インクが割り当てられる。また、他のノズル３３２には、画像を形成するシアン、マゼンタおよびイエローのインクを吐出するノズル列が配置される。
【００５０】
この記録ヘッド２３２を用いて印刷動作を実行する場合、白色インクを吐出するノズル列のうち、搬送方向Ｓに搬送される記録用紙１５０に対して相対的に先行する上半分のノズル３３２が白色インクを吐出する。これに対して、シアン、マゼンタおよびイエローのインクを吐出するノズル列は、図中の下半分が駆動されてインクを吐出する。
【００５１】
制御部２３８によるこのような制御の下にインクジェット式記録装置１００を動作させた場合、記録用紙１５０に対して、搬送方向Ｓについて先行して白色インクが吐出され、記録用紙１５０に白色の背景となるテクスチャ層が形成される。記録用紙１５０に付着した紫外線硬化型インクは、記録ヘッド２３２に追従する紫外線照射部２３６により紫外線を照射されて硬化する。これにより、記録用紙１５０の表面に、硬化した白色インクによるテクスチャ層が形成される。
【００５２】
続いて、記録用紙１５０は、搬送方向Ｓに搬送されて、ノズルプレート３３０におけるノズル列の長さの半分だけ移動する。これにより、記録用紙１５０の表面においてテクスチャ層を形成された領域が、ノズル列の後半の直下に位置する。そこで、既に硬化しているテクスチャ層の上に、他のノズル列における下半分のノズル３３２から吐出されたインクにより任意の画像が重ねて形成される。
【００５３】
なお、ノズルプレート３３０におけるノズルピッチよりも小さい移動量で、搬送方向Ｓに記録用紙１５０を移動させることにより、記録画像の実効的なドットピッチを向上させることもできる。また、この実施形態においては、各ノズル列において紫外線硬化型インクを吐出するノズル３３２と、休止するノズル３３２の数を同数としたが、その配分の割合は特に限定されるものではない。
【００５４】
図１０は、背景となるテクスチャ層を形成しない場合の記録ヘッド２３２の動作状態を示す図である。同図に示すように、この場合、ノズルプレート３３０の図中で左端に配された白色インクを吐出するノズル３１２は全て休止する。これに対して、他のノズル３３２は、各ノズル列に属する全てのノズル３３２が、割り当てられシアン、マゼンタおよびイエローの紫外線硬化型インクを吐出する。
【００５５】
上記のように吐出インクを割り当てられた記録ヘッド２３２においては、長いノズル列を用いてそれぞれの種類の紫外線硬化型インクが吐出される。従って、各種類についてはノズル数が増加するので、画像の形成速度を向上させることができる。
【００５６】
以上、本発明を実施の形態を用いて説明したが、本発明の技術的範囲は上記実施の形態に記載の範囲には限定されない。上記実施の形態に、多様な変更または改良を加え得ることは当業者に明らかである。また、そのような変更または改良を加えた形態も本発明の技術的範囲に含まれ得ることが、特許請求の範囲の記載から明らかである。
【図面の簡単な説明】
【００５７】
【図１】インクジェット式記録装置１００を前面から見た外観を示す斜視図である。
【図２】インクジェット式記録装置１００を背面から見た外観を示す斜視図である。
【図３】インクジェット式記録装置１００の内部機構２００を示す斜視図である。
【図４】記録ヘッド組立体２３０の下面を見上げた様子を示す図である。
【図５】制御部２３８により制御された記録ヘッド２３２の動作状態を示す図である。
【図６】記録ヘッド２３２の他の動作状態を説明する図である。
【図７】記録ヘッド２３２の更に他の動作状態を説明する図である。
【図８】記録ヘッド組立体２３０の他の形態を示す図である。
【図９】制御部２３８により制御された記録ヘッド２３２の動作状態を示す図である。
【図１０】記録ヘッド２３２の他の動作状態を説明する図である。
【符号の説明】
【００５８】
１００  インクジェット式記録装置、１１０  筐体、１１２  上部筐体、１１４  下部筐体、１１６  小型筐体、１２０  脚部、１３０  操作パネル、１４０  カートリッジホルダ、１５０  記録用紙、１５２  ロール、１６０  スピンドル、２００  内部機構、２１０  搬送部、２１２  搬送駆動ローラ、２２０  タイミングベルト、２２２  キャリッジモータ、２３０  記録ヘッド組立体、２３１  キャリッジ、２３２  記録ヘッド、２３４、２３６  紫外線照射部、２３８  制御部、２４０  インクカートリッジ、２５０  吸引プラテン、２５２  案内面、２６０  プーリ、２７０  ガイド軸、２８０  キャップ、２９０  フラッシング部、３１０、３２０、３３０  ノズルプレート、３１２、３２２、３３２  ノズル
【図１】
2009096060.tif 000003
【図２】
2009096060.tif 000004
【図３】
2009096060.tif 000005
【図４】
2009096060.tif 000006
【図５】
2009096060.tif 000007
【図６】
2009096060.tif 000008
【図７】
2009096060.tif 000009
【図８】
2009096060.tif 000010
【図９】
2009096060.tif 000011
【図１０】
2009096060.tif 000012